(57)【要約】【課題】  ロックレバーをロック位置へ回動させても、転写材の送出リールに慣性力を発生させないようにする。【解決手段】  第１の方向に回動することによりリボンに対してテンションを付与し、ロックレバー３７がロック解除位置に回動されるのに基づいて第１の方向とは逆の第２の方向に回動されるテンションアーム３８と、第２の方向に回動されたテンションアーム３８に係脱自在に係止して保持し、この保持をロックレバー３７のロック位置への回動時においても継続する保持部材４０と、サーマルヘッド２５がリボンを介してカード１２ａに圧接するのに基づいて保持部材４０によるテンショアーム２５の保持を解除する可動アーム４８とを具備する。【選択図】      図３
2006281668.tif 000002
【特許請求の範囲】
【請求項１】
ユニット本体と、
このユニット本体内に着脱自在に設けられ、一端側が送出部、他端側が巻取部にそれぞれ券回される転写材を有したカートリッジと、
このカートリッジ内の転写材を介してカードに圧接することにより、前記転写材の色材を前記カードに転写する転写ヘッドと、
前記ユニット本体内に装填されるカートリッジをロックするロック位置とこのロックを解除するロック解除位置との間で回動されるロック部材と、
第１の方向に回動することにより前記転写材に対してテンションを付与し、前記ロック部材が前記ロック解除位置に回動されるのに基づいて前記第１の方向とは逆の第２の方向に回動されるテンションアームと、
前記第２の方向に回動されたテンションアームに係脱自在に係止して保持し、この保持を前記ロック部材のロック位置への回動時においても継続する保持手段と、
前記転写ヘッドが前記転写材を介して前記カードに圧接するのに基づいて前記保持手段によるテンショアームの保持を解除する解除手段と、
を具備することを特徴とする身分証印刷装置。
【請求項２】
同軸的に配設されて回転される第１及び第２の駆動カムを有し、前記第１の駆動カムの回転により前記転写ヘッドを前記転写材に対して接離させ、前記第２の駆動カムの回転により前記保持手段をテンションアームに対して係脱させることを特徴とする請求項１記載の身分証印刷装置。
【請求項３】
前記転写ヘッドが転写材から離間する状態から第１の駆動カムが１８０度回転することにより、前記転写ヘッドを転写材に圧接させ、この圧接時に前記保持手段によるテンションアームの保持を解除することを特徴とする請求項２記載の身分証印刷装置。
【請求項４】
前記テンションアームの保持を解除するタイミングは、前記第１の駆動カムが所定量回動して前記転写ヘッドが前記転写材に接触したとき、或いは、さらに第１の駆動カムが回動して前記転写ヘッドが前記転写材を押圧したときであることを特徴とする請求項２記載の身分証印刷装置。
【請求項５】
前記テンションアームはその回動側にピン体を有し、前記保持手段は回動自在に設けられ、その回動端に前記テンションアームのピン体を係脱させる係止部を有したことを特徴とする請求項１記載の身分証印刷装置。
【請求項６】
前記保持手段によるテンションアームの保持が解除され、１枚目の印刷終了後の２枚目以降の印刷時における前記テンションアームの可動エリヤはテンションアームの保持時における位置とは異なることを特徴とする請求項１記載の身分証印刷装置。
【発明の詳細な説明】
【技術分野】
【０００１】
本発明は、例えば、ＩＤカードなどを印刷する身分証印刷装置に関する。
【背景技術】
【０００２】
この種の身分証印刷装置としては図１１に示すようなものが知られている。
【０００３】
図中１０１はユニット本体で、このユニット本体１０１内には着脱自在にカートリッジ１０２が装填されている。ユニット本体１０１内にはサーマルヘッド（転写ヘッド）１０３が設けられ、このサーマルヘッド１０３をインクリボン（転写材）１０５を介してカード１０６に圧接することにより、インクリボン１０５のインク（色剤）をカード１０６に転写するようになっている。インクリボン１０５はその一端側が送出リール１０８に券回され、他端側が巻取リール１０９に券回されている。インクリボン１０５は複数本のガイドピン１１１ａ〜１１１ｅに掛け渡されてその走行がガイドされるようになっている（例えば、特許文献１参照。）。
【０００４】
また、ユニット本体１０１には、ロックレバー１１３が設けられ、このロックレバー１１３はカートリッジ１０２をロックするロック位置と、このロックを解除するロック解除位置との間で回動されるようになっている。
【０００５】
また、ロックレバー１１３には同軸的にテンションアーム１１４が回動自在に設けられ、このテンションアーム１１４の回動端部にはインクリボン１０５にテンションを付与するピン体１１６が設けられている。テンションアーム１１４の回動端部はバネ材１１７によって上方に回動するように付勢されている。
【０００６】
カートリッジ１０２を装填する場合には、まず、ロックレバー１１３を想像線で示すようにロック解除位置に回動する。そして、この状態からカートリッジ１０２をユニット本体１０１内に装填する。この装填後、ロックレバー１１３をロック位置に回動してカートリッジ１０２を固定保持する。
【特許文献１】特開２００１−２６０４７６号公報
【発明の開示】
【発明が解決しようとする課題】
【０００７】
しかしながら、従来においては、ロックレバー１１３のロック位置への回動時には、テンションアーム１１４がフリーな状態になっていたため、オペレータがロックレバー１１３を急激に回動させた場合には、テンションアーム１１４がバネ材１１７の引張力により回動されてインクリボン１０５を強く送出リール１０８から引き出してしまう。このため、送出リール１０８に慣性力が発生し、この慣性力によりインクリボンが必要以上に引き出される。これにより、転写材に皺や、撚り、弛み等が生じ、カードに転写される画像に色抜けがでてカードが不良品になるという問題があった。
【０００８】
本発明は上記事情に着目してなされたもので、その目的とするところは、ロックレバーをロック位置へ回動させても、転写材の送出部に慣性力を発生させることのないようにした身分証印刷装置を提供することにある。
【課題を解決するための手段】
【０００９】
上記課題を解決するため、請求項１記載のものは、ユニット本体と、このユニット本体内に着脱自在に設けられ、一端側が送出部、他端側が巻取部にそれぞれ券回される転写材を有するカートリッジと、このカートリッジ内の転写材を介してカードに圧接することにより、前記転写材の色材を前記カードに転写する転写ヘッドと、前記ユニット本体内に装填されるカートリッジをロックするロック位置とこのロックを解除するロック解除位置との間で回動されるロック部材と、第１の方向に回動することにより前記転写材に対してテンションを付与し、前記ロック部材が前記ロック解除位置に回動されるのに基づいて前記第１の方向とは逆の第２の方向に回動されるテンションアームと、前記第２の方向に回動されたテンションアームに係脱自在に係止して保持し、この保持を前記ロック部材のロック位置への回動時においても継続する保持手段と、前記転写ヘッドが前記転写材を介して前記カードに圧接するのに基づいて前記保持手段によるテンショアームの保持を解除する解除手段とを具備することを特徴とする。
【発明の効果】
【００１０】
本発明によれば、転写材に皺や、撚り、弛み等が生じることがなく、色抜けのない良好な印刷が可能になる。
【発明を実施するための最良の形態】
【００１１】
以下、本発明を図面に示す実施の形態を参照して詳細に説明する。  
図１は本発明の一実施の形態であるカード発行装置を示す概略的構成図である。
【００１２】
カード発行装置の本体１の前面部（図中左側部）には、操作入力部（図示しない）が設けられている。操作入力部（図示しない）には、本装置を単独で運用する情報、及び証明カードとして必要な情報を入力する操作盤、所望の画像情報を入力するための３．５インチ光磁気ディスク装置、さらに、入力された情報や異常情報等を表示するための表示装置等が配設されている。
【００１３】
本体１内の上部側にはホッパ２が設けられ、このホッパ２内には被印刷面を上にした状態で印刷前のカード１２ａが積層状態で収納されている。ホッパ２は、印刷処理のために必要なときに印刷機内へカード１２ａを取込むことができるようになっている。取り込まれたカード１２ａは上段搬送路１３に沿って搬送される。上段搬送路１３中にはカード１２ａの搬送方向に沿ってＹ印画ユニット３、Ｍ印画ユニット４、Ｃ印画ユニット５、印字ユニット６、ＵＶ保護膜ユニット７が順次配設されている。
【００１４】
上段搬送路１３のカード搬出端側には中継搬送路８を介して下段搬送路１４が接続されている。中継搬送路８中にはカード１２ａの表面に表面保護膜を転写する熱転写ユニット９が設けられている。下段搬送路１４中には表面保護膜を定着させるためのＵＶ照射ユニット１０、及び、排出場所情報をもとに４台の集積庫のいづれか１台に完成カード１２ｂを排出するマルチスタッカユニット１１が配設されている。
【００１５】
図１において、ホッパ２から取り込まれたカード１２ａは、上段搬送路１３に沿って搬送され、Ｙ印画ユニット３、Ｍ印画ユニット４、Ｃ印画ユニット５を通過することによりその表面にカラー画像が転写され、また、印字ユニット６を通過することにより文字情報が印字される。そして、このカード１２ａがＵＶ保護膜ユニット７を通過することにより、そのカラー画像及び文字情報がＵＶ保護膜によって被覆保護される。こののち、カード１２ａは中継搬送路８を介して熱転写ユニット９に搬送されてその表面に保護膜が転写される。ついで、カード１２ａは、下段搬送路１４を介してＵＶ照射ユニット１０に搬送され、ここで、ＵＶが照射されてその表面保護膜が定着される。こののち、カード１２ａは、マルチスタッカユニット１１に搬送されて４台の集積庫のいづれか１台へ排出されて完成カード１２ｂとしてユーザに提供される。
【００１６】
図２は、上記したＹ印画ユニット３、Ｍ印画ユニット４、Ｃ印画ユニット５を示すもので、これらはいずれも同様に構成されるため、Ｙ印画ユニット３を代表して説明する。
【００１７】
Ｙ印画ユニット３は、ユニット本体１６と、このユニット本体１６に着脱自在に取り付けられるリボンカートリッジ１７を有している。
【００１８】
リボンカートリッジ１７は転写材としてのリボン２２を送り出す送出リール（送出部）１９及びリボン２２を巻き取る巻取リール（巻取部）２０を有している。リボン２２は複数本のガイドピン２３ａ〜２３ｅに掛け渡されてその巻取時における走行がガイドされるようになっている。
【００１９】
また、ユニット本体１６内の下部側には転写ヘッドとしてのサーマルヘッド２５が設けられ、このサーマルヘッド２５の下方部にはプラテン２６が設けられている。このサーマルヘッド２５とプラテン２６とは上段搬送路１３を介して対向されている。上段搬送路１３にはカード１２ａの搬送方向に亘って複数個の搬送ローラ２８ａ〜２８ｃが配設され、これら搬送ローラ２８ａ〜２８ｃの上面部にはピンチローラ２９ａ〜２９ｃが転接されている。搬送ローラ２８ａ〜２８ｃは駆動機構３１によって回転駆動される。駆動機構３１は駆動モータ３２と、この駆動モータ３２の駆動力を搬送ローラ２８ａ〜２８ｃに伝達するベルト、プーリなどからなる動力伝達機構３３とによって構成されている。搬送ローラ２８ａ〜２８ｃの上部側にはカード位置を検出するための耐光ＳＣ３５、３６が配設されている。
【００２０】
また、ユニット本体１６には装填されたリボンカートリッジ１７を保持するためのロック部材としてのロックレバー３７が回動自在に設けられている。このロックレバー３７に対して図７にも示すようにテンションアーム３８が同軸的に回動自在に設けられている。テンションアーム３８の回動端側にはリボン２２にテンションを付与するためのピン体３４が突設されているとともに、後述する保持部材（保持手段）４０が係止されるピン体４６が突設されている。また、テンションアーム３８は付勢部材としてのバネ材３９によって上方へ向かって弾性的に付勢されている。
【００２１】
図２において、ホッパ２から排出されたカード１２ａは、搬送ローラ２８ａ〜２８ｃとピンチローラ２９ａ〜２８ｃとの回転により挟持搬送されて取り込まれる。このカード１２ａが耐光ＳＣ３５によって検知されると、その搬送が停止される。こののち、サーマルヘッド２５がカード１２ａ上に降下され、サーマルヘッド２５とプラテン２６とでリボン２２およびカード１２ａを挟む。ここでリボン巻取りＤＣモータ２１を決められた一定トルクで回転させてリボン２２を一定量巻き上げて停止させる。このとき、テンションアーム３８は後述する保持部材４０によって保持されており、そのピン体３４は最下端部に位置している。こののち、印画速度に切り替わった搬送速度でカード１２ａが搬送され、その先端部が耐光ＳＣ３６を通過した時点でサーマルヘッド２５がさらに降下される。そして、このサーマルヘッド２５に通電されて印画が開始される。印画が終了すると、サーマルヘッド２５が上昇されて処理の終了したカード１２ａは後ユニットへ送り出される。
【００２２】
図３は上記したテンションアーム３８のロック部材（保持手段）４０及びその駆動機構を示すものである。
【００２３】
保持部材４０は取付ブラケット４１に支軸４２を介して回動自在に取り付けられている。また、保持部材４０はバネ材４４を介して取付ブラケット４１に接続され、反時計方向に回動するように付勢されている。保持部材４０の上端部には係止部４５が切欠形成され、この係止部４５にテンションアーム３８の回動端側に突設されたピン体４６が係脱自在に係止される。保持部材４０の下端一側には突起部４０ａが突設され、この突起部４０ａ上には可動アーム（解除手段）４８の端部が係止されている。可動アーム４８はＬ字状に形成され、中央部が支軸４９により回動自在に支持されている。可動アーム４８の下端部にはカムフォロア一５０が取り付けられ、このカムフォロア一５０は可動アーム４８がバネ５１によって付勢されることにより、保持解除カム（第２の駆動カム）５２に常時接触されている。
【００２４】
保持解除カム５２は駆動機構５３によって回転駆動される。駆動機構５３は駆動モータ５４と駆動ベルト５５とプーリ５６とによって構成されている。保持解除カム５２とプーリ５６とは同軸的に設けられている。
【００２５】
図４は上記したサーマルヘッド２５の駆動機構を示すものである。
【００２６】
図中５８は保持解除カム５２とプーリ５６に対して同軸的に設けられるヘッドカム（第１の駆動カム）で、このヘッドカム５８に対しヘッド位置検知板５９が同軸的に設けられている。ヘッド位置検知板５９の近傍にはヘッド位置検知ＳＣ６１が設けられ、このヘッド位置検知ＳＣ６１によりヘッド位置検知板５９が検知される。この検知によりプーリ５６は常に１８０度回転されて停止されるようになっている。
【００２７】
サーマルヘッド２５は支持フレーム６３の先端部に回動自在に取り付けられている。支持フレーム６３は中途部が支軸６４によって回動自在に支持され、後端部側はバネ材６５によって下方に向かって付勢されている。また、支持フレーム６３にはカムフォロアー６７が取り付けられ、このカムフォロアー６７は支持フレーム６３がバネ材６５によって付勢されることによりヘッドカム５８に常時接触されている。
【００２８】
図３及び図４において、駆動モータ５４が回転されると、ベルト５５、プーリ５６を介して保持解除カム５２、ヘッドカム５８、及びヘッド位置検知板５９が回転される。
【００２９】
ヘッドカム５８の回転により、支持フレーム６３が支軸６４を中心として回動してサーマルヘッド２５を昇降させる。
【００３０】
また、保持解除カム５２の回転により、可動アーム４８が支軸４９を中心にして回動してその端部４８ａを上下動させる。
【００３１】
可動アーム４８の端部４８ａが下降することにより、図５に示すように保持部材４０の突起部４０ａが押し下げられる。この押下により、保持部材４０がバネ材４４の付勢力に抗して時計方向に回動してその上端の係止部４５をテンションアーム３８のピン体４６から離脱させる。
【００３２】
これにより、テンションアーム３８はフリーな状態となり、図８に示すようにピン体３４がリボン２２に当接する位置３４ｃまで移動する。
【００３３】
一方、ヘッド位置検知板５９を同軸にもつプーリ５６、ヘッドカム５８、及び保持解除カム５２は、ヘッド位置検知ＳＣ６１によりヘッド位置検知板５９が検知されることにより常に１８０度回転して停止する。
【００３４】
例えば、図３及び図４に示すようにサーマルヘッド２５が最上位（イニシャル位置）に位置する状態でヘッドカム５８が１８０度回転して停止すると、サーマルヘッド２５は図５及び図６に示すように降下して最下点に至る。
【００３５】
このとき保持解除カム５２も同様に１８０度回転して可動アーム４８が支軸４９を中心として反時計方向に回動されて図５に示すようにバネ材５１の付勢力に抗して回動する。この回動により可動アーム４８の端部４８ａによって保持部材４０の突起部４０ａが押し下げられて保持が解除される。
【００３６】
このとき、リボン２２はサーマルヘッド２５の押圧により引出されること無く、かつ、巻取側はワンウエイクラッチを備えているため巻き戻ることが無い。
【００３７】
この状態から、サーマルヘッド２５に通電されて印画が開始される。このときリボン２２はテンションアーム３８を上方へ付勢するバネ材３９の付勢力によって巻上げられる。このリボン２２の巻上量は、テンションアーム３８の上昇距離で、この上昇距離は印画幅より大となっている。印画が終了した時点でサーマルヘッド２５が上昇されて、テンションアーム３８は図８に示すように最上位の位置３４ｂへ引き上げられる。処理の終了したカードは後ユニットへ排出される。
【００３８】
次に、リボンカートリッジ１７の装填方法について説明する。
【００３９】
リボンカートリッジ１７の装填に際しては、まず、図１０（ａ）に示すように、ロックレバー３７を実線で示すようにロック解除位置に回動させる。この回動により、ロックレバー３７の押下片３７ａによってテンションアーム３８がバネ材３９の付勢力に抗して下方に回動される。この下方への回動により、図３（ａ）に示すように、テンションアーム３８のピン体４６が保持部材４０の上端部の係止部４５に係止されてテンションアーム３８が保持される。
【００４０】
この状態からリボンカートリッジ１７が装填される。この装填後、ロックレバー３７を図１０（ｂ）に示すように、ロック位置へ回動させてリボンカートリッジ１７を固定（保持）する。このロックレバー３７のロック位置への回動時には、上記したようにテンションアーム３８が保持部材４０により保持されているため、テンションアーム３８を急激に上方へ回動させてリボン２２を強く引き出してしまうことがない。従って、送出リール１９に慣性力を発生させることがなく、リボン２２を必要以上に送り出してしまうことは確実に防止できる。
【００４１】
なお、テンションアーム３８の保持が解除されるタイミングは、ヘッドカム５８の回転によりサーマルヘッド２５が降下する図９に示すカム曲線のＡ点、或いは、カード１２ａにヘッド圧力が加わりだしたＢ点、または、Ａ点よりも大きくＣ点まで至らないＤ１の範囲とされ、最も好ましいのは、カード１２ａに接触したＡ点とヘッドの最下位置Ｃ点との中間点Ｄ２がよい。
【００４２】
また、テンションアーム３８が保持部材４０によって保持される位置３４ａと印画動作時に使用されるテンションアーム３８の可動範囲の位置３４ｂ〜３４ｃとは異る（３４ａが３４ｃよりも下方にある）ため、装填直後の１枚目のカード印刷時を除く２枚目以降のカード印刷時には、保持部材４０のロック解除動作は行われるものの、実際にピンにかかる負荷は大きく軽減できる。
【００４３】
上記したように、この実施の形態によれば、ロックレバー３７をロック位置へ回動させる際には、テンションアーム３８が保持部材４０によって保持されているため、ロックレバー３７を強く回動させたとしても、リボン２２が強く引き出されることがない。従って、送出リール１９に慣性力が発生せず、リボン２２が必要以上に繰り出されて弛みや皺や撚りなどを生じることがなく、色抜けなどのない良好な印刷が可能になる。
【００４４】
なお、本発明は、上記一実施の形態に限られることなく、その要旨の範囲内で種々変形実施可能なことは勿論である。
【図面の簡単な説明】
【００４５】
【図１】本発明の一実施の形態であるカード作成装置を示す構成図。
【図２】同身分証印刷装置を示す正面図。
【図３】同身分証印刷装置のテンションアームの保持機構を示すもので、（ａ）はその正面図、（ｂ）はその側面図。
【図４】同身分証印刷装置のサーマルヘッドの駆動機構を示す側面図。
【図５】同テンションアームの保持が解除された状態を示すもので、（ａ）はその正面図、（ｂ）その側面図。
【図６】同サーマルヘッドの駆動機構を示すもので、（ａ）はその正面図、（ｂ）はその駆動カムの動作を示す図。
【図７】同ロックレバーとテンションアームの取付構造を示す図。
【図８】同テンションアームの動作範囲を示す図。
【図９】同駆動カムのカム曲線を示す図。
【図１０】同テンションアームの動作を示すもので、（ａ）はロックレバーがロック解除位置に回動された状態を示す図、（ｂ）はロックレバーがロック位置に回動された状態を示す図。
【図１１】従来の身分証印刷装置を示す図。
【符号の説明】
【００４６】
１２ａ、１２ｂ…カード、１６…ユニット本体、１７…カートリッジ、１９…送出リール（送出部）、２０…巻取リール（巻取部）、２２…リボン（転写材）、２５…サーマルヘッド（転写ヘッド）、３７…ロックレバー（ロック部材）、３８…テンションアーム、４０…保持部材（保持手段）、４５…係止部、４６…ピン体、４８…可動アーム（解除手段）、５２…保持解除カム（第２の駆動カム）、５８…ヘッドカム（第１の駆動カム）。
【図１】
2006281668.tif 000003
【図２】
2006281668.tif 000004
【図３】
2006281668.tif 000005
【図４】
2006281668.tif 000006
【図５】
2006281668.tif 000007
【図６】
2006281668.tif 000008
【図７】
2006281668.tif 000009
【図８】
2006281668.tif 000010
【図９】
2006281668.tif 000011
【図１０】
2006281668.tif 000012
【図１１】
2006281668.tif 000013